(57)【要約】【課題】従来の融雪機は高温、高熱の利用をいずれのメーカーでも利用するのが常識的だった。従って危険性が高く作業員が集まらなかった。【解決手段】本発明者は低温湯の融雪機を作成する事に成功した。同じ小型バーナーでも、もっともっと大量の雪を融かす機械を作る事を目指したい。その手応えを感じ取っているので努力致します。【選択図】図２
2018035652.tif 000002
【特許請求の範囲】
【請求項１】
小型バーナーを用いた融雪機に於いて、外周部に熱交換用フィンを設けたフィン付きバーナー炉及びパイプの長軸方向と平行に熱交換用フィンを設けた熱交換用パイプからなる第一熱交換ブロックと、バーナー炉から熱交換用パイプを経由して出てくる熱風が当たる炉当たりタンクの第二熱交換ブロックと、熱風を外気に放出する煙突部に第三熱交換ブロックを備えた事を特徴とする融雪装置。
【請求項２】
金属製の薄板を外壁としその内側に木製の内張りを設けし上部を開放した五面体の箱の内部に請求項１記載の第一熱交換ブロックと、第二熱交換ブロックは完全水没の中で稼動する事を特徴とする請求項１に記載の融雪装置。
【請求項３】
請求項２記載の五面体の上部に蓋を設け冷水を加温した熱湯をも供給可能とした融雪装置。
【発明の詳細な説明】
【技術分野】
【０００１】  本機は小型バーナーを用いた融雪機である。
【背景技術】
【０００２】  従来の融雪機は熱湯又は水蒸気を利用した融雪機が主流で作業員の危険性が大変高く、作業員が集まらなかった。
【先行技術文献】
【特許文献】
【０００３】
【特許文献１】  特許５７３１７０２号
【０００４】  特許文献は矢張り高温高熱が基礎であった。
【発明の概要】
【発明が解決しようとする課題】
【０００５】  豪雪地帯に降り積った雪は国を経済的に、又各地域の国民生活、それに子供達の通学道路の危険等々に大きな影響を与えて来た。こんな時一番の苦しみを味わうのは弱者であった。以上の現実を早く普通の生活にもどしてあげたいと思うのが国と我々技術者である。然し従来の技術者による融雪機の中には複雑な作りは一流であるが、融雪効果は二流であった。向故に従来の技術者は高温高熱を主とした危険な機械作りに走り続けたのか、高温高熱の中にマイナス温度の雪を投入したら水蒸気爆発を起す事は常識以前の事である。今日では小さく区切った箱の中に、パイプを通しパイプの上に雪を詰め込みそのパイプに熱湯を送り融雪をしている機械等がある様である。発明者は三つのブロックでの温湯沸しを開発したのは、低温湯で大量の雪を融かす事に成功して、豪雪地域の皆様を喜ばせたい一心であった。
幸いながら小型とは云え１時間当りの融雪量は１５，０００ｌとなる事に成功した。
【課題を解決するための手段】
【０００６】  国家、国民をさらに一層喜ばせる様な融雪機を作る事が最良の手段であらう。本発明者はその最良なる機械を開発した。安全安心で高効率な融雪機である。
掌に雪と云う我々祖先の諺を思い出した事であった。【０００７】  では第一熱交換ブロックはフィン付バーナー炉と、このバーナー炉に密着したフィン付パイプ炉。
第二熱交換ブロックは、フィン付パイプ炉より熱く強く飛び出すバーナーの高熱を受け取るフィン付パイプ炉当りタンクと、この炉当りタンクの眞上を通る四角四面の排煙路。
第三熱交換ブロックは排煙路から出て来た排煙を受け取る熱交換式煙突である。
従って融雪効率が高いので１時間当りの融雪量は約１５，０００リットル位と見る。貯湯タンク内の温湯も約２，０００リットルで約３０℃位である。その上シャワーも毎分７０リットルが約３０℃で吹き付け雪を揉み融かすのである。【０００８】  発明者の算定によれば融雪量の多い事は熱伝面積の大巾なる拡大等による事、又貯湯タンクの湯量の多い事から見て融雪量は計画通りとなる。本融雪機の熱伝面積はフィンを含めて約１６ｍ２と大型ボイラーの２倍となる。この様な事により融雪量は大巾に増加する事となる。安全安心なる作業環境のもと、１時間当り１５，０００リットル、１日当りは１２０，０００リットルとなる。先に述べし通りでフィンの効果のためであらう、その上貯湯タンク内の湯水の温度差の変位は少ない。【０００９】  本機の構造、特に三つの熱交換ブロックによる温湯を融雪作業に最も適した造り、フィンの多用が冷水の温度上昇と適温維持に貢献した事、又融雪機全体が水没稼動出来た事である。だから湯温上昇並びに適温維持は驚く程である。【００１０】  本機を開発した事で地域の皆様、特に雪による弱者に喜んで貰える事、又国家に多少なりとも貢献出来る事であらう。
さらに地球の温暖化防止にさゝやかな御役に立つ事。【００１１】  三つの熱交換ブロックの湯沸しの内訳を先ず説明する。
第一熱交換・ブロックはフィン付バーナー炉５及びフィン付パイプ炉６。
第二熱交換・ブロックはフィン付パイプ炉当りタンク７。排煙路１５。
第三熱交換ブロックは熱交換式煙突１１。【００１２】  ここで水の仂きを説明する。貯湯タンクに５℃の２，０００ｌの冷水が注入されると、バーナーは直ちにＯＮされる。第一熱交換ブロック及び第二熱交換ブロックは、冷水の温度上昇を手助けすると同時に循環ポンプも作動する。
貯湯タンク内の冷水は５℃であったが循環パイプは熱交換式煙突に５℃を送り込む。この煙突で１０℃位を貰った冷水は１５℃となって、パイプ炉当りタンクには入り込む、このパイプ炉当りを出る時は約５℃を更に受け取り約２０℃でシャワーパイプに送られた水は作業開始直後の融雪を迎えてシャワーとなって吹き付ける。
融雪はフィン付バーナー炉を始めとする第一、第二ブロックの熱交換システムに揉まれ、又シャワーの洗礼を受け敢えなく１０℃位の水となって、貯湯タンク排水調節弁により分類される。この内の７０ｌ／Ｈは循環ポンプで融雪を迎え、残水は排水となる、この間湯温は上昇。
以上の仕事が本発明の仕事であり、融雪機である。【００１３】  本融雪機はフルシーズン使用に簡単に出来る。法規に合う様に本機の最上部に図５の様に蓋を取り付けるだけである。
【図面の簡単な説明】
【００１４】
【図１】  本発明の実施形態を示す融雪機を上から見た全体図。
【図２】  本発明の実施形態を示す融雪機を横から見た全体図。
【図３】  本融雪機の図１及び図におけるフィンパイプ炉のより詳しい部分引き出し図。フィンは×表示。
【図４】  本融雪機の図１及図２におけるフィンパイプ炉６から熱交換式煙突１１に至るまでのより詳しい部分引き出し図。
【図５】  ボイラーえの転用蓋の部分。
【発明を実施するための形態】
【００１５】  本発明の実施の形態、図１から図５に基ずいて説明する。
各図の中で斜線部は木材の内張り、×印はフィン各所である。
【００１６】  本発明の融雪機の作業手段は先にも述べた弱者の路地裏の一寸広い場所はすべて除雪の山積みで通行の邪間になって困っている所から、タイヤショベル等で運んで来て融雪機の上から投入するのが普通である。投入されし雪は貯湯タンク内温度約２０℃以上位になっているが、そこに上部より同じ２０℃位のシャワーが吹きつける。シャワーは毎分７０ｌで強烈である。だからまたたく間に雪は融ける。先に水の仂きで述べた通りである。安全安心の作業は気持よく作業効率が上がる事となる。貯湯タンク内の湯温が５０℃でバーナーは停止、３０℃になるとバーナーＯＮとなる。ポンプは絶えず循還作動する。
【符号の説明】
【００１７】  １．  バーナー．
２．  金属製薄板．
３．  木材の内張り．
４．  貯湯タンク．
５．  フィン付バーナー炉．
６．  フィン付パイプ炉．
７．  フィン付パイプ炉当りタンク．
８．  循環パイプ．
９．  シャワーパイプ．
１０．  フィン付バーナー炉反し板．
１１．  熱交換式煙突．
１２．  ウォーターポンプ．
１３．  シャワー用調節弁．
１４．  貯湯タンク排水調節弁．
１５．  排煙路．
１６．  各所フィン×印．
１７．  貯湯タンクドレーン．
１８．  フィン付パイプ炉当りタンクドレーン．
１９．  ボイラー用上部蓋図５．
【図１】
2018035652.tif 000003
【図２】
2018035652.tif 000004
【図３】
2018035652.tif 000005
【図４】
2018035652.tif 000006
【図５】
2018035652.tif 000007